(57)【要約】【課題】水道配管の中間位置に分岐設定する従来の三方向分岐継手は、何れも固定的なＴ型継手を基本としているもので、１次側接続口と２次側接続口が対設されない異なる方位、特に垂直方向に段差のある位置に存在する配管環境においては、スプリンクラー等の端末機器の分岐配設に対応できない問題があった。【解決手段】一端を接続継手口２１、他端を本体嵌合基部２２に構成した２つのエルボ型継手体２、２を、継手胴本体１の上端両側面に開口形成した嵌合孔３、３に回動可能に水密嵌着すると共に、継手胴本体１の底部に端末機器取付け機構４を設けて分岐継手に構成した。【選択図】図１
2015197182.tif 000002
【特許請求の範囲】
【請求項１】
継手胴本体上端の両側に開口形成した嵌合孔に、一端を接続継手口、他端を本体嵌合基部に構成した２つのエルボ型継手体を、回転可能に水密嵌着すると共に、本体底面に端末機器取付け部を設けて成る分岐継手
【請求項２】
エルボ型継手体の接続継手口を、接続配管の端部を挿入する開口部にＶ字型開口部を接続継手口の深部側に向かうように形成し、頂部にキャップを覆着して、接続配管の端部を接続継手口の挿入口に挿入すると抜け止めリングの係止片が挿入配管の外周面に食い込み、抜去方向への離脱が不能となるワンタッチ継手構造とした請求項１記載の分岐継手
【発明の詳細な説明】
【技術分野】
【０００１】
本発明は、水道配管の１次側端末と２次側端末が直線位置になく、異なった方位に配置された水道配管の中間位置に、スプリンクラーヘッド等の端末機器や分水路を設定する場合に用いる分岐継手に関するもので、特に、新築建物の天井内にスプリンクラーヘッド等を樹脂管にて設置する場合に有効な分岐継手に関するものである。
【背景技術】
【０００２】
スプリンクラー用の給水回路として貯水タンクや給水ポンプ等の給水回路を特別に設備する商業ビルの場合と異なり、一般の住宅やアパート、マンション等にスプリンクラーを取り付ける場合は、特別な給水回路を設けず上水道から分岐することが認められているため、水道配管の中間位置にスプリンクラーを配設することが行われてきている。
【０００３】
一方、水道水取込みスプリンクラーヘッド等の配管部中間機器の設定位置については、分岐継手を挟んでその両側に水道配管の１次側接続口と２次側接続口が直線位置に配置されるものではなく、１次側接続口と２次側接続口が対設されない配管環境においては、固定的なＴ型継手によってはスプリンクラー等の端末機器の分岐配設が困難であった。
【０００４】
また、天井裏での配管は、地中配管のように管が土砂等によって支持されることがないので宙空配管となり、梁材などを支持固定材として利用しなければ、安定した配管を行うことができない。更に、天井内において水道管として配管したいラインと、各部屋に配置するスプリンクラーヘッドの配置箇所は大きく離れている場合が多く、配管ラインとスプリンクラーヘッド設置の施工現場は距離的にも離間することが多い。
【先行技術文献】
【特許文献】
【０００５】
従来、一般の住宅用のスプリンクラー設備は、上水道設備から分岐した給水管の途中に特許文献１のようにＴ型継手を接続し、このＴ型継手の分岐管部にスプリンクラーヘッドを接続している。しかし、水道配管の中間位置にスプリンクラーを配設するとその部分に停滞水（死水）が生じ、その停滞水が水道配管内に混入して衛生上好ましくない問題があった。
【０００６】
このような水道水取込みスプリンクラーヘッド用の分岐継手における死水防止対策としては、Ｔ型継手内に隔壁を設けて平常時にも分岐管部内に強制的に水を流入させ、分岐管部内の水を流動させて死水の発生を防止する特許文献２のような手段やＴ型分岐管部に接続する導水口の内径を放水口の断面積より大きい断面積の渦流室とする特許文献３のような対策も講じられてきている。
【０００７】
また、１次側接続口と２次側接続口が対設されない配管環境に対応するものとして、リング状の継手本体と、この継手本体に下部にスプリンクラーヘッドの取付口を偏心させて設けた中空回転体を回転自在に嵌合して中空回転体を回転範囲でスプリンクラーヘッドの取付位置を調整できるようにした特許文献４のような提案もなされている。
【０００８】
天井内での配管は、水道管の１次側と２次側末端が近い場合にはスプリンクラーヘッドの設置部を底辺としたＵ字型の配管となり、配管を曲げて対処する必要が生じる。
鋼管等硬質管ではエルポ等別途継手が必要となり、樹脂管等軟質管においても急激な曲がりは管の折れの原因となり、通水量の低下や管の損傷を引き起こす問題がある。
【０００９】
この問題に対応して本願出願人による特許文献５は、スプリンクラーヘッド接続箇所以外の上部２箇所の両エルポが自由に回転する三方向継手を提案し、天井内の梁の向きによって基本継手の固定方向が限定されても、水道管は影響されずに配管できるようにした。
【特許文献１】実開昭５４−５３９９号公報
【特許文献２】特開２０１１−３０８６５号公報
【特許文献３】特開平２−２３９８７８号公報
【特許文献４】実用新案登録第２５６７７０７号公報
【特許文献５】特開２０１３−２６１０号公報
【発明の概要】
【発明が解決しようとする課題】
【００１０】
水道配管の中間位置に分岐設定する従来の三方向継手は、上記のように様々な工夫が凝らされているものの、何れも固定的なＴ型継手を基本としているもので、１次側接続口と２次側接続口が対設されない配管環境においては、スプリンクラー等の端末機器の分岐配設に対応できないものであった。
【００１１】
即ち、給水回路を特別に設けることなく上水道設備から分岐した給水管の途中にスプリンクラーを設定する場合、スプリンクラーヘッドの配管空間たる天井内において「各部屋の中央等、スプリンクラーヘッドを配置したい箇所」と「水道管として配管したいライン」とは必ずしも一致せず、分岐継手の１次側接続口と２次側接続口が異なった方位にならざるを得ないことも多い。
【００１２】
出願人は上記従来の三方向継手の問題点に対応して、上部２箇所の両エルポが水平方向に自由に回転する三方向継手を提案し、天井内の梁の向きによって基本継手の固定方向が限定されても、水道管は影響されずに配管できるようにした特許文献５の提案がなされているものであるが、両エルポの回転が水平方向に限定されているため、上下方向に対応できない問題が残されていた。
【００１３】
即ち、天井内での配管は、鋼管等硬質管では吊り下げ配管が可能であるが、樹脂管等軟質管では吊り下げ配管ができないため、天井の最も上面（最天井）に固定せざるを得ない。そのため、スプリンクラーヘッド配管部まで上下方向に相当の段差を生じるので、従来のＴ字型継手を使った場合、配管に接続するためには樹脂管を大きく曲げる必要があり、施工が困難であるばかりか樹脂管にも負荷ダメージを与え続けることになる。
【００１４】
Ｔ字型継手のほかにＹ字型継手も存在するが、それでも樹脂管の曲げは避けられないうえに、２次側への配管は必然的に上方向になってしまい、今度は水平方向に配管するために再び樹脂管を曲げることになってしまうものである。
【００１５】
また、天井裏での配管は、地中配管のように管が土砂等によって支持されることがないので宙空配管となり、狭い空間で螺合等の作業により分岐継手の継手口に配管を接続する作業には多くの時間と熟練した労力が必要であり、未熟な場合には水洩れ等にも繋がる問題がある。
【課題を解決するための手段】
【００１６】
本発明は上記した課題に対応しようとするものであり、継手胴本体上端の両側に開口形成した嵌合孔に、一端を接続継手口、他端を本体嵌合基部に構成した２つのエルボ型継手体を、回転可能に水密嵌着すると共に、本体底面にスプリンクラーヘッド等の端末機器取付け部を設けるようにして垂直方向における自由な位置決めを行えるようにした。
【００１７】
また、エルボ型継手体の接続継手口を、Ｖ字型開口部が接続継手口の深部側に向かうようにロックリングを接続管挿入口内に配置することにより、挿入された接続管の離脱を防止するワンタッチ継手構造として、分岐継手の継手口に配管を接続する作業を単純な接続管挿入作業によって行えるようにした。
【発明の効果】
【００１８】
本発明は、以上のように構成したことにより、従来のチーズのような固定形状のＴ型継手のように１次側接続口と２次側接続口の方位に合わせてエルボ等の複数の継手を組み合わせて方位調整を行う必要がなくなるため、垂直方向、即ち、上下位置の方向選択についても、より自由な配管システムの設計を可能とし、更に、分岐継手の継手口に配管を接続する作業をワンタッチで行えるようにしたので、作業能率を飛躍的に向上させた。
【００１９】
また、２つのエルボ型継手体が両側において回動可能に形成されるので、水道管の１次側と２次側末端が近く継手胴本体底部を底辺としたＵ字型の配管となる場合でも、エルボ型継手体が１次側と２次側に湾曲流路を形成して送水エネルギーの減損を防止する一方、本体底面に設けられた端末機器取付け機構に対するＵ字型配管の急激な折れ曲がりを無理なく形成し、機器取付け機構部における死水の発生を防止する。
【００２０】
また、１次側接続口と２次側接続口が直線状に対設されない配管環境においても、分岐配管が可能となるためスプリンクラーのような配管部中間機器の設定を可能にすると共に、多種類の多様な形状の継手を用意することなく、自由な設計に対応する配管施工を行える効果がある。
【図面の簡単な説明】
【００２１】
【図１】本発明の実施例を示すもので、エルボ型継手体を、継手胴本体上端の両側に開口形成した嵌合孔に回動可能に水密嵌着した構造を示す分岐継手の縦断面側面図と胴本体内の構造を示す同図の底面図
【図２】同じく、エルボ型継手体を回動した状態におけるエルボ型継手体と継手胴本体上端部を横断面とした平面図
【図３】同じく、天井内に本発明による分岐継手を用いて配管してスプリンクラーを設置した施工例を示す天井内施工部の施工状況図
【図４】同じく、本発明による分岐継手を用いて垂直空間に複数のスプリンクラーを設置した施工例を示す施工状況図
【実施例１】
【００２２】
以下、図面に基づいて本発明の実施の形態を説明する。１は継手胴本体で、上端の両側面には２つのエルボ型継手体２ａ、２ｂを回動可能に水密嵌着する嵌合孔３、３が開口形成され、底面には分岐水路４若しくは端末機器取付け機構４１が設けられている。
【００２３】
エルボ型継手体２ａ、２ｂは、それぞれ、一端を接続継手口２１、他端を継手胴本体１の嵌合孔３、３に嵌合する本体嵌合基部２２に構成され、本体嵌合基部２２は嵌合孔３に挿入され、スラストリング２３によって継手胴本体１の嵌合孔３に回動可能に嵌着されると共に、Ｏリング２４によって水密性が保持される。
【００２４】
接続継手口２１は、樹脂管によって構成された配管１１、１２の端部を挿入する開口部にＶ字型開口部１３が接続継手口の深部側に向かうように形成され、頂部にキャップ２１ａが覆着されて、接続継手口２１の挿入口２５に挿入すると抜け止めリングの係止片２６が挿入配管の外周面に食い込み、抜去方向への離脱が不能となるワンタッチ継手構造に構成され、接続配管１１、１２をそれぞれ挿入するだけで接続されるようになっている。
この接続継手口２１の構造をワンタッチ構造とせず通常の接続構造としても良いことは勿論である。なお、このワンタッチは配管１１、１２が樹脂管によって構成されている場合に適用されるもので、配管１１、１２が金属管の場合は接続継手口２１の形態は通常の配管接続構造になる。
【００２５】
以上のように構成された分岐継手は、図３に示すように最天井に配設された配管から下方の天板Ｈ、梁Ｇに固定金具５によって固定される分岐継手に下降する１次側配管１１に対してエルボ型継手体２ａを回動して無理のない方向に接続継手口２１を向けることができるものである。
【００２６】
更に、天板Ｈに併設される他のスプリンクラー１４に対する関係においても、エルボ型継手体２ｂを、図４に示すように併設分岐継手のエルボ型継手体２ａに対して自由な対設方向を選択でき、しかも、分岐継手の接続継手口２１には１次側配管１１の端部を挿入するだけで接続継手されるからエルボ型継手体の回動によって配管に無理な屈曲を与えることなく、極めて自由な配管設計を行うことができる。
【００２７】
また、１次側配管１１から流入する水道水は、エルボ型継手体２ａのエルボ型湾曲流路によって継手胴本体１の端末機器取付け機構４１上を通過してエルボ型継手体２ｂの本体嵌合基部２２に流入し、エルボ型継手体２ｂから２次側配管１２に流出するが、継手胴本体１の内部に設定された滞留防止体１ａによって発生する渦流によって端末機器取付け機構４１の部位への水流の停滞がなくなり死水の発生が防止される。
【００２８】
本発明による分岐継手は、図１に示すように継手胴本体１の嵌合孔３、３に、エルボ型継手体２ａ、２ｂを回動可能に水密嵌着し、継手胴本体１の底部に分岐水路４を形成したもので、通常の水道配管の三方継手として用い、給水配管の接合方位を自由に調整できるようにしたものであり、エルボ型継手体２ａ、２ｂを１次側、２次側に限定することなく、上記のような合流システム配管にも広く活用することができる。
【産業上の利用可能性】
【００２９】
本発明に係る接続口回動分岐継手は、近代産業の血管にも似た水道配管の継手構造を基本的に変革するもので、接合配管の配設部位を自由に設定できることにより、配管システムの自由な設計範囲を大幅に拡張できるので、水道配管産業上の利用価値は極めて高いものである。
【符号の説明】
【００３０】
１      継手胴本体
１ａ    滞留防止体
１１    １次側配管
１２    ２次側配管
１３    Ｖ字型開口部
１４    スプリンクラー
２      エルボ型継手体
２ａ    １次側エルボ型継手体
２ｂ    ２次側エルボ型継手体
２１    接続継手口
２１ａ  ワンタッチ構造頂部のキャップ
２２    本体嵌合基部
２３    スラストリング
２４    Ｏリング
２５    接続継手口の接合配管端部挿入口
２６    抜け止めリングの係止片
３      エルボ型継手体嵌合孔
４      分岐水路
４１    端末機器取付け機構
５      固定金具
Ｇ      梁材等の支持部材
Ｈ      天板
【図１】
2015197182.tif 000003
【図２】
2015197182.tif 000004
【図３】
2015197182.tif 000005
【図４】
2015197182.tif 000006
【手続補正書】
【提出日】平成26年4月8日(2014.4.8)
【手続補正１】
【補正対象書類名】明細書
【補正対象項目名】０００８
【補正方法】変更
【補正の内容】
【０００８】
天井内での配管は、水道管の１次側と２次側末端が近い場合にはスプリンクラーヘッドの設置部を底辺としたＵ字型の配管となり、配管を曲げて対処する必要が生じる。
鋼管等硬質管ではエルボ等別途継手が必要となり、樹脂管等軟質管においても急激な曲がりは管の折れの原因となり、通水量の低下や管の損傷を引き起こす問題がある。
【手続補正２】
【補正対象書類名】明細書
【補正対象項目名】０００９
【補正方法】変更
【補正の内容】
【０００９】
この問題に対応して本願出願人による特許文献５は、スプリンクラーヘッド接続箇所以外の上部２箇所の両エルボが自由に回転する三方向継手を提案し、天井内の梁の向きによって基本継手の固定方向が限定されても、水道管は影響されずに配管できるようにした。
【特許文献１】実開昭５４−５３９９号公報
【特許文献２】特開２０１１−３０８６５号公報
【特許文献３】特開平２−２３９８７８号公報
【特許文献４】実用新案登録第２５６７７０７号公報
【特許文献５】特開２０１３−２６１０号公報
【手続補正３】
【補正対象書類名】明細書
【補正対象項目名】００１２
【補正方法】変更
【補正の内容】
【００１２】
出願人は上記従来の三方向継手の問題点に対応して、上部２箇所の両エルボが水平方向に自由に回転する三方向継手を提案し、天井内の梁の向きによって基本継手の固定方向が限定されても、水道管は影響されずに配管できるようにした特許文献５の提案がなされているものであるが、両エルボの回転が水平方向に限定されているため、上下方向に対応できない問題が残されていた。